(57)【要約】      （修正有）【課題】粘性の高い内容物を充填したボトルにおいて、使い勝手を向上させた機能性ボトルを提供する。【解決手段】ボトル１の上口に対する取付口を下部に形成して成るノズルキャップ１０の天面において、この中心から外側にずれた位置から上方に向けて先端の注出口にヒンジキャップを取り付けてノズル部１６を形成する。更に、前記ノズルキャップ１０の取付口内の天面に開口し、かつ前記ノズル部１６内の流出通路に至るノズル入口部の中心側の角に円曲部を形成して内容物がスムーズに流出するように形成する。また、ノズルキャップ１０に上方から着脱自在にボトルスタンド２０を取り付けて不使用時にはボトル１を逆さまに立てておくことができるようにすると共に、ボトルスタンド２０を回転するだけでノズルキャップ１０をボトル１の上口から取り外して内容物の詰め替えができるようにしたり、ボトルスタンド２０の係合突部２７とノズルキャップ１０側の係合突部２６を係合させてボトルスタンド２０によりノズルキャップ１０又はボトル１を持ち運びすることができるようにする。【選択図】図１０
0003159719.tif 000002
【実用新案登録請求の範囲】
【請求項１】
ボトルの上口に形成したボトル側スクリュー雄ねじ部に上方から螺合自在のキャップ側スクリュー雌ねじ部を内周壁面に形成した取付口を下部に形成して成るキャップ本体部及び、前記キャップ本体部の天面において、この中心から外側にずれた位置から上方に向けて突出形成されていると共に先端の注出口にヒンジキャップを取り付けて成るノズル部、及び前記キャップ本体部の取付口の天面に開口し、かつ前記ノズル部内の内容物流出通路に至るノズル入口部に形成されていて、前記ノズル入口部の角において、内容物がスムーズに流出するように形成されたガイド円曲部、から成るノズルキャップと、前記ノズルキャップに上方から被せるようにして着脱自在の装着口を下部に形成すると共にこの装着口の上方にキャップ本体部に形成したノズル部を収容するノズル部収容空間を形成し、上半部に脚部を形成して成るボトルスタンドを有す機能性ボトル。
【請求項２】
前記ノズルキャップの天壁の外面の一部に上向きの突起部を形成し、前記ボトルスタンドの装着口の一部に前記ノズルキャップを装着したときに前記突起部に係合する係合溝を形成してボトルスタンドとノズルキャップを係合させることによりボトルスタンド側を回転するとノズルキャップも一緒に回転してノズルキャップの開閉を行うことができ、併せてボトルスタンドの装着口内に係合突部を形成すると共にノズルキャップ側に前記係合突部が係合するキャップ側係合突部を形成してノズルキャップにボトルスタンドを装着したときに前記係合突部とキャップ側係合突部を係合させることによりボトルスタンド内にノズルキャップを保持してノズルキャップをボトルの上口から一緒に取り外したり、ボトルスタンドを持つことによりノズルキャップを介してボトルを一緒に持ち運び自在に構成して成る請求項１に記載の機能性ボトル。
【請求項３】
ボトルの上口に形成したボトル側スクリュー雄ねじ部に上方から螺合自在のキャップ側スクリュー雌ねじ部を内周壁面に形成した取付口を下部に形成して成るキャップ本体部、及び前記キャップ本体部の天面において、この中心から外側にずれた位置から上方に向けて突出形成されていると共に先端の注出口にヒンジキャップを取り付けて成るノズル部、前記キャップ本体の取付口の天面に開口し、かつ前記ノズル部内の流出通路に至るノズル入口部に形成されていて、前記ノズル入口部の角において内容物がスムーズに流入するように形成されたガイド円曲部を形成し、かつ前記取付口内に突起部及びキャップ側係合突部を形成して成る請求項１に記載の機能性ボトル用ノズルキャップ。
【請求項４】
前記ノズルキャップに上方から着脱自在の装着口を下部に形成すると共にこの装着口の上方にキャップ本体のノズル部を収容するノズル部収容空間を形成し、かつ前記装着口内に前記ノズルキャップ側の突起部が係合する係合溝及び前記キャップ側係合突部が係合する係合突部を形成し、上半部に脚部を形成して成る請求項３に記載のノズルキャップに被せて用いられる機能性ボトル用ボトルスタンド。
【考案の詳細な説明】
【技術分野】
【０００１】
本考案は、ボトル入りのクリーム、ケチャップ、マヨネーズ、流動性練り製品等のような高粘性流動物（以下「内容物」という。）を使用に際して直ぐに注出したり、最後まで使い切ることができるキャップと、ボトルを立てて置くことができると共にキャップの開閉及びボトルの持ち運びがしやすいように工夫したボトルスタンドを有する機能性ボトルに関するものである。
【背景技術】
【０００２】
ボトル内から内容物の注出がし易いように注出ノズルをボトルキャップ形成したものが知られている。
【０００３】
例えば、特許文献１に掲載されたキャップの場合は、ノズルがキャップの天面の中央部に形成されていて、内容物はこのノズルから注出する構成である。
【０００４】
しかし、このキャップの場合、粘性の低い液体の場合はスムーズに最後まで注出できるが、キャップ内におけるノズル部への流入口部分はほぼ直角に近い段部のため、容器を傾けた場合に、粘性の高い内容物、例えばケチャップや蜂蜜、マヨネーズ等の食品、あるいはシャンプー、コンディショナー、ローション、クリーム等の化粧品あるいは塗り薬等の薬品の場合に、前記ノズル部への流入口部分の段部において流動が滞り、スムーズに注出できなかったり、時間がかかると共に最後には段部に内容物が残ってしまうという問題がある。
【０００５】
また、上記のように粘性の高い内容物の場合、使用して量が減ってくると、内容物がノズルから最初に注出されるまでに時間がかかり、使い勝手が悪いことから、ボトルを逆さまにして置いたりすることがある。
【０００６】
しかし、このように逆さまにしておくことができるのは、キャップの天面が平らで大きい場合だけであり、ノズルキャップのようにキャップの天面上に大きな突出部分があると、逆さにして置くことはできない。
【０００７】
このようなことから、ボトルを逆さまにして置くことが出来る所謂ボトルスタンドが提案されている。
【０００８】
例えば、特許文献２には、ボトルのネック部分に装着して使用される断面逆台形状のボトルスタンドが紹介されており、このボトルスタンドは、繰り返し他のボトルにも装着して使用できる点に特徴がある。
【０００９】
しかし、このボトルスタンドは、スタンドの外からボトルのキャップを着脱する構造のため、取扱いが不便であると共に、キャップはある程度小さいものでなければならないという問題がある。
【先行技術文献】
【特許文献】
【００１０】
【特許文献１】特開２００５−２２６７４号公報
【特許文献２】米抄２００４−０１７３６２０号公報
【考案の概要】
【考案が解決しようとする課題】
【００１１】
本考案の目的は、ボトルを立てておくことにより比較的粘性の高い内容物を直ぐに注出することができると共に、最後まで使い切ることができ、更にキャップの開閉とボトルの持ち運び及び内容物の詰め替えを簡単に行うことができる機能性ボトルを提供することである。
【課題を解決するための手段】
【００１２】
上記課題を解決するため、請求項１に記載の考案は、機能性ボトルの上口に形成したボトル側スクリュー雄ねじ部に上方から螺合自在のキャップ側スクリュー雌ねじ部を内周壁面に形成した取付口を下部に形成して成るキャップ本体部及び、前記キャップ本体部の天面において、この中心から外側にずれた位置から上方に向けて突出形成されていると共に先端の注出口にヒンジキャップを取り付けて成るノズル部、及び前記キャップ本体部の取付口の天面に開口し、かつ前記ノズル部内の内容物流出通路に至るノズル入口部に形成されていて、前記ノズル入口部の角において、内容物がスムーズに流出するように形成されたガイド円曲部、から成るノズルキャップと、前記ノズルキャップに上方から被せるようにして着脱自在の装着口を下部に形成すると共にこの装着口の上方にキャップ本体部に形成したノズル部を収容するノズル部収容空間を形成し、上半部に脚部を形成して成ることを特徴とするものである。
【００１３】
更に、請求項２に記載の考案は、請求項１に記載の機能性ボトルにおいて、前記ノズルキャップの天壁の外面の一部に上向きの突起部を形成し、前記ボトルスタンドの装着口の一部に前記ノズルキャップを装着したときに前記突起部に係合する係合溝を形成してボトルスタンドとノズルキャップを係合させることによりボトルスタンド側を回転するとノズルキャップも一緒に回転してノズルキャップの開閉を行うことができ、併せてボトルスタンドの装着口内に係合突部を形成すると共にノズルキャップ側に前記係合突部が係合するキャップ側係合突部を形成してノズルキャップにボトルスタンドを装着したときに前記係合突部とキャップ側係合突部を係合させることによりボトルスタンド内にノズルキャップを保持してノズルキャップをボトルの上口から一緒に取り外したり、ボトルスタンドを持つことによりノズルキャップを介してボトルを一緒に持ち運び自在に構成して成ることを特徴とするものである。
【００１４】
この発明によると、ボトルスタンドとノズルキャップは突起部と係合溝で結合しているため、内容物の詰め替え等に際してボトルスタンドとノズルキャップを別々に取り外すのではなく、ボトルスタンドをノズルキャップに装着したままこのボトルスタンドを回転すると、ノズルキャップも一緒に取り外すことができると共にボトルスタンド内にノズルキャップを保持したり、ノズルキャップを閉じたままボトルを持ち運んだりすることができる。
【００１５】
更に、請求項３に記載の考案は、請求項１に記載の機能性ボトル用ノズルキャップは、ボトルの上口に形成したボトル側スクリュー雄ねじ部に上方から螺合自在のキャップ側スクリュー雌ねじ部を内周壁面に形成した取付口を下部に形成して成るキャップ本体部、及び前記キャップ本体部の天面において、この中心から外側にずれた位置から上方に向けて突出形成されていると共に先端の注出口にヒンジキャップを取り付けて成るノズル部、前記キャップ本体の取付口の天面に開口し、かつ前記ノズル部内の流出通路に至るノズル入口部に形成されていて、前記ノズル入口部の角において内容物がスムーズに流入するように形成されたガイド円曲部を形成し、かつ前記取付口内に突起部及びキャップ側係合突部を形成して成ることを特徴とするものである。
【００１６】
更に、請求項４に記載の考案は、請求項１に記載の機能性ボトル用ボトルスタンドは、前記ノズルキャップに上方から着脱自在の装着口を下部に形成すると共にこの装着口の上方にキャップ本体のノズル部を収容するノズル部収容空間を形成し、かつ前記装着口内に前記ノズルキャップ側の突起部が係合する係合溝及び前記キャップ側係合突部が係合する係合突部を形成し、上半部に脚部を形成してノズルキャップに被せて用いられるボトルスタンドを特徴とするものである。
【考案の効果】
【００１７】
本考案は、ノズルキャップにおいて、ノズル部をキャップ本体部の天面において中心から外側に片寄った位置に形成したことにより、内容物が少なくなって来たときに、この片寄り側を下にして注出していると、最後まで無駄なく注出させることができる。
【００１８】
また、本考案は、ノズルキャップ内におけるノズル部への流入口部分に円曲部を形成したことにより、この円曲部に沿って内容物を滞りなく最後までスムーズに注出することができる。
【００１９】
また、本考案は、ボトルスタンドにおいて、ノズルキャップに被せるときに支障がないように、ノズル部収容空間を内部に形成したことにより、ノズルキャップの外にボトルスタンドをそのまま装着しておくことができ、ボトルを立てて直ぐに内容物を注出したりするときはそのままボトルスタンド側を下にして置くだけでよい。
【００２０】
また、本考案は、ボトルスタンドをノズルキャップに被せたときに、互いに係合するように構成したことにより、ボトルスタンドを回転するだけでノズルキャップをボトル本体の上口から取り外したり、再装着することができるため、内容物の詰め替えを簡単に行うことができる。
【００２１】
また、本考案は、ノズルキャップにボトルスタンドを装着したときに、双方を係合させることができるように係合手段を設けたことにより、ボトルスタンドを回転することによりノズルキャップを開閉できるため、内容物の詰め替えを簡単に行うことができると共にボトルスタンド内にノズルキャップを保持してノズルキャップのみ、あるいはボトルごと持ち運びを行うことができて便利である。
【００２２】
また、本考案は、ノズルキャップにおいて、ノズル部の先端に形成した注出口にヒンジキャップを取り付けたことにより、使い勝手が良く、また注出口用のキャップを紛失する心配もない。
【図面の簡単な説明】
【００２３】
【図１】ボトルスタンドを外した状態のノズル付キャップを装着したボトルの説明図である。
【図２】ボトルスタンドを装着してボトルを立てて置いた状態の説明図である。
【図３】ノズル付キャップの側面図である。
【図４】ノズル付キャップの平面図である。
【図５】Ａ−Ａ’線断面図である。
【図６】ヒンジキャップを開いた状態の説明図である。
【図７】ボトルスタンドの正面図である。
【図８】ボトルスタンドの下面図である。
【図９】Ｂ−Ｂ’線断面図である。
【図１０】ノズル付キャップの外にスタンドを装着した状態の説明図である。
【図１１】ボトル内から内容物を注出している状態（使用している状態）の説明図である。
【考案を実施するための形態】
【実施例】
【００２４】
本考案に係る機能性ボトル１は、ノズルキャップ１０とボトルスタンド２０から成る。
【００２５】
各構成部品を図に基づいて詳細に説明すると、ボトル１は、上口２とこの外周面にスクリュー雄ねじ部３を形成して成り、樹脂製品であるが、ガラス、陶磁器、金属製の場合もあり、内部には粘性の比較的高い流動物が充填される。但し、粘性の低い内容物用として用いることもでき、用途に制限はない。
【００２６】
ノズルキャップ１０は、図３〜図５に示すように、下面を開放してここにボトル１の上口２に装着する装着口１２を形成し、この装着口１２の内周壁面に前記ボトル１側のスクリュー雄ねじ３に嵌合するスクリュー雌ねじ１３を形成したキャップ本体部１１と、このキャップ本体部１１の天面部１５のリブ環１４の内側に内容物の流入口部１７とこれに続く流路１６ａとこの流路１６ａの先に注出口１８及び注出口１８を閉塞するヒンジ１９ａ付のヒンジキャップ１９を取り付けたノズル部１６が形成され、そして前記ノズル部１６はキャップ本体部１１の中心から外側に片寄った位置に突出形成されている。
【００２７】
また、このノズル部１６において、前記装着口１２からの流路１６ａへ入る流入口部１７において中心側の角には内容物の流れをスムーズに誘導するための円曲部１７ａが形成されている。
【００２８】
ボトルスタンド２０は、図７〜図９に示すように、下部に前記ノズルキャップ１０に被せて装着するためのキャップ装着口２１を形成すると共にこのキャップ装着口２１から奥方向に段部２２によりキャップ装着口２１より小径のノズル部収容空間２３を形成し、このノズル部収容空間２３の外側に末広がりの脚部２４を形成した構造である。
【００２９】
また、このボトルスタンド２０側には、ノズルキャップ１０に被せて装着したときに、ノズルキャップ１０側の天面部１５に形成した突起部１５ａが嵌合する係合溝２５を形成し、ボトルスタンド２０を回転するだけでノズルキャップ１０をボトル１の上口２から取り外したり、再装着することができるように構成されている。なお、前記突起部１５ａと係合溝２５の数は任意であるが、３〜４ヶ所に設けた場合に使い勝手が良い。
【００３０】
また、ノズルスタンド２０の装着口１２内には図９に示すように係合突部２６が形成され、ノズルキャップ１０側には図５、６に示すようにこの係合突部２６が係合するキャップ側係合突部２７が形成されているため、ノズルスタンド２０をノズルキャップ１０に装着したとき、図５において仮想線で示すようにキャップ側係合突部２７に係合突部２６が係合し、ノズルキャップ１０はボトルホルダー２０内に保持される。このため、ノズルキャップ１０を取り外したときはこのノズルキャップ１０はボトルホルダー２０と一緒に在り、またボトル１にノズルキャップ１０が装着されているときはボトルスタンド２０を持ってボトル１を持ち運びしたりすることができる。
【００３１】
以上に説明した本考案に係るノズルキャップ１０とボトルスタンド２０は、図１０に示すようにノズルキャップ１０で閉じられたボトル１において、ノズルキャップ１０に被せるようにして装着される。
【００３２】
ボトル１を使用する場合には、図１に示すようにキャップ１０からボトルスタンド２０を抜くようにして取り外し、図１１に示すようにヒンジキャップ１９を開き、ボトル１を手に持って斜めにしながら内容物をノズルキャップ１０のノズル１６の注出口１８から注出する。このとき、ノズルキャップ１０のノズル部１６に至る流路入口部１７に円曲部１７ａが形成されているため、内容物はこの円曲部１７ａに沿ってスムーズに流動し、流路１６ａ内に流入する。そして、使用が終ると、図１０に示すようにヒンジキャップ１９を閉じ、ボトルスタンド２０をノズルキャップ１０に被せるようにして装着し、図２に示すようにボトルスタンド２０側を下にして置くことにより、次の使用に際して内容物はノズル部１６の流路入口部１７から流路１６ａ内を含めて注出口１８のところに充満しているため、ヒンジキャップ１９を開くと直ぐに内容物を注出することができ、使い勝手が良い。
【００３３】
また、ボトルスタンド２０とノズルキャップ１０は、突起部１５ａと係合溝２５で結合しているため、ノズルキャップ１０をボトル１の上口２から取り外すときは、ボトルスタンド２０を回転させるだけで良く、内容物の詰め替え等に際して便利である。
【産業上の利用可能性】
【００３４】
１．粘性の高い食品用ボトル
２．粘性の高い化粧品用ボトル
３．粘性の高い薬品用ボトル
【符号の説明】
【００３５】
１．ボトル
１０．ノズルキャップ
１６  ノズル部
１７  流入口部
１７ａ  円曲部
１９  ヒンジキャップ
２０  ボトルスタンド
２１  装着口
２３  ノズル部収容空間
２６  キャップ側係合突部
２７  係合突部
【図１】
0003159719.tif 000003
【図２】
0003159719.tif 000004
【図３】
0003159719.tif 000005
【図４】
0003159719.tif 000006
【図５】
0003159719.tif 000007
【図６】
0003159719.tif 000008
【図７】
0003159719.tif 000009
【図８】
0003159719.tif 000010
【図９】
0003159719.tif 000011
【図１０】
0003159719.tif 000012
【図１１】
0003159719.tif 000013
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
ボトルの上口の外周面に形成したボトル側スクリュー雄ねじ部に上方から螺合自在のキャップ側スクリュー雌ねじ部を内周壁面に形成した取付口を下部に形成して成るキャップ本体部及び、前記キャップ本体部の天面において、この中心から外側にずれた位置に上向きに突出形成されていると共に先端の注出口にヒンジキャップを取り付けて成るノズル部、及び前記キャップ本体部の取付口内の天面に開口し、かつ前記ノズル部内の内容物流出通路に至るノズル入口部に形成されていて、前記ノズル入口部の角において、内容物がスムーズに流入するように形成されたガイド円曲部、から成るノズルキャップと、前記ノズルキャップに上方から被せるようにして着脱自在のキャップ装着口を下部に形成すると共にこのキャップ装着口内の上方にキャップ本体部に形成したノズル部を収容するノズル部収容空間を形成し、上半部に脚部を形成して成るボトルスタンドから成る機能性ボトル。
【請求項２】
前記ノズルキャップの天面部の一部に上向きの突起部を形成し、前記ボトルスタンドのキャップ装着口の一部に前記ノズルキャップを装着したときに前記突起部に係合する係合溝を形成してボトルスタンドとノズルキャップを係合させることによりボトルスタンド側を回転するとノズルキャップも一緒に回転してノズルキャップの開閉を行うことができ、併せてボトルスタンドのキャップ装着口内下縁に係合突部を形成すると共にノズルキャップ側に前記係合突部が係合するキャップ側係合突部を形成してノズルキャップにボトルスタンドを装着したときに前記係合突部とキャップ側係合突部を係合させることによりボトルスタンド内にノズルキャップを保持してノズルキャップをボトルの上口から一緒に取り外したり、ボトルスタンドを持つことによりノズルキャップを介してボトルを一緒に持ち運び自在に構成して成る請求項１に記載の機能性ボトル。
【請求項３】
前記請求項１に記載のボトルの上口の外周面に形成したボトル側スクリュー雄ねじ部に上方から螺合自在のキャップ側スクリュー雌ねじ部を内周壁面に形成した取付口を下部に形成して成るキャップ本体部、及び前記キャップ本体部の天面において、この中心から外側にずれた位置に上向き突出形成されていると共に先端の注出口にヒンジキャップを取り付けて成るノズル部、前記キャップ本体部の取付口内の天面に開口し、かつ前記ノズル部内の流出通路に至るノズル入口部に形成されていて、前記ノズル入口部の角において内容物がスムーズに流入するように形成されたガイド円曲部を形成し、かつ前記天面部の一部に上向きの突起部及び前記上口の外周面の下縁にキャップ側係合突部を形成して成る機能性ボトル用ノズルキャップ。
【請求項４】
前記請求項３に記載のノズルキャップに上方から着脱自在のキャップ装着口を下部に形成すると共にこのキャップ装着口内の上方にキャップ本体部のノズル部を収容するノズル部収容空間を形成し、かつ前記キャップ装着口内に前記ノズルキャップ側の突起部が係合する係合溝及び前記キャップ側係合突部が係合する係合突部を下縁に形成し、更に前記キャップ装着口の上半部に脚部を形成して成る機能性ボトル用ボトルスタンド。
【手続補正２】
【補正対象書類名】明細書
【補正対象項目名】００１２
【補正方法】変更
【補正の内容】
【００１２】
上記課題を解決するため、請求項１に記載の考案は、ボトルの上口の外周面に形成したボトル側スクリュー雄ねじ部に上方から螺合自在のキャップ側スクリュー雌ねじ部を内周壁面に形成した取付口を下部に形成して成るキャップ本体部及び、前記キャップ本体部の天面において、この中心から外側にずれた位置に上向き突出形成されていると共に先端の注出口にヒンジキャップを取り付けて成るノズル部、及び前記キャップ本体部の取付口内の天面に開口し、かつ前記ノズル部内の内容物流出通路に至るノズル入口部に形成されていて、前記ノズル入口部の角において、内容物がスムーズに流入するように形成されたガイド円曲部、から成るノズルキャップと、前記ノズルキャップに上方から被せるようにして着脱自在のキャップ装着口を下部に形成すると共にこのキャップ装着口内の上方にキャップ本体部に形成したノズル部を収容するノズル部収容空間を形成し、上半部に脚部を形成して成るボトルスタンドから成る機能性ボトルを特徴とするものである。
【手続補正３】
【補正対象書類名】明細書
【補正対象項目名】００１３
【補正方法】変更
【補正の内容】
【００１３】
更に、請求項２に記載の考案は、請求項１に記載の機能性ボトルにおいて、前記ノズルキャップの天面部の一部に上向きの突起部を形成し、前記ボトルスタンドのキャップ装着口の一部に前記ノズルキャップを装着したときに前記突起部に係合する係合溝を形成してボトルスタンドとノズルキャップを係合させることによりボトルスタンド側を回転するとノズルキャップも一緒に回転してノズルキャップの開閉を行うことができ、併せてボトルスタンドのキャップ装着口内下縁に係合突部を形成すると共にノズルキャップ側に前記係合突部が係合するキャップ側係合突部を形成してノズルキャップにボトルスタンドを装着したときに前記係合突部とキャップ側係合突部を係合させることによりボトルスタンド内にノズルキャップを保持してノズルキャップをボトルの上口から一緒に取り外したり、ボトルスタンドを持つことによりノズルキャップを介してボトルを一緒に持ち運び自在に構成して成ることを特徴とするものである。
【手続補正４】
【補正対象書類名】明細書
【補正対象項目名】００１５
【補正方法】変更
【補正の内容】
【００１５】
更に、請求項３に記載の考案は、請求項１に記載の機能性ボトル用ノズルキャップは、前記請求項１に記載のボトルの上口の外周面に形成したボトル側スクリュー雄ねじ部に上方から螺合自在のキャップ側スクリュー雌ねじ部を内周壁面に形成した取付口を下部に形成して成るキャップ本体部、及び前記キャップ本体部の天面において、この中心から外側にずれた位置に上向き突出形成されていると共に先端の注出口にヒンジキャップを取り付けて成るノズル部、前記キャップ本体部の取付口内の天面に開口し、かつ前記ノズル部内の流出通路に至るノズル入口部に形成されていて、前記ノズル入口部の角において内容物がスムーズに流入するように形成されたガイド円曲部を形成し、かつ前記天面部の一部に上向きの突起部及び前記上口の外周面の下縁にキャップ側係合突部を形成して成ることを特徴とするものである。
【手続補正５】
【補正対象書類名】明細書
【補正対象項目名】００１６
【補正方法】変更
【補正の内容】
【００１６】
更に、請求項４に記載の考案は、請求項１に記載の機能性ボトル用ボトルスタンドは、前記請求項３に記載のノズルキャップに上方から着脱自在のキャップ装着口を下部に形成すると共にこのキャップ装着口内の上方にキャップ本体部のノズル部を収容するノズル部収容空間を形成し、かつ前記キャップ装着口内に前記ノズルキャップ側の突起部が係合する係合溝及び前記キャップ側係合突部が係合する係合突部を下縁に形成し、更に前記キャップ装着口の上半部に脚部を形成して成ることを特徴とするものである。
【手続補正書】
【提出日】平成22年3月26日(2010.3.26)
【手続補正１】
【補正対象書類名】実用新案登録請求の範囲
【補正対象項目名】請求項３
【補正方法】変更
【補正の内容】
【請求項３】
前記請求項１に記載の機能性ボトルの上口の外周面に形成したボトル側スクリュー雄ねじ部に上方から螺合自在のキャップ側スクリュー雌ねじ部を内周壁面に形成した取付口を下部に形成して成るキャップ本体部、及び前記キャップ本体部の天面において、この中心から外側にずれた位置に上向き突出形成されていると共に先端の注出口にヒンジキャップを取り付けて成るノズル部、前記キャップ本体部の取付口内の天面に開口し、かつ前記ノズル部内の流出通路に至るノズル入口部に形成されていて、前記ノズル入口部の角において内容物がスムーズに流入するように形成されたガイド円曲部を形成し、かつ前記天面部の一部に上向きの突起部及び前記上口の外周面の下縁にキャップ側係合突部を形成して成る機能性ボトル用ノズルキャップ。
【手続補正２】
【補正対象書類名】実用新案登録請求の範囲
【補正対象項目名】請求項４
【補正方法】変更
【補正の内容】
【請求項４】
前記請求項３に記載の機能性ボトル用ノズルキャップに上方から着脱自在のキャップ装着口を下部に形成すると共にこのキャップ装着口内の上方にキャップ本体部のノズル部を収容するノズル部収容空間を形成し、かつ前記キャップ装着口内に前記機能性ボトル用ノズルキャップ側の突起部が係合する係合溝及び前記キャップ側係合突部が係合する係合突部を下縁に形成し、更に前記キャップ装着口の上半部に脚部を形成して成る機能性ボトル用ボトルスタンド。
【手続補正３】
【補正対象書類名】明細書
【補正対象項目名】００１５
【補正方法】変更
【補正の内容】
【００１５】
更に、請求項３に記載の考案は、請求項１に記載の機能性ボトル用ノズルキャップは、前記請求項１に記載の機能性ボトルの上口の外周面に形成したボトル側スクリュー雄ねじ部に上方から螺合自在のキャップ側スクリュー雌ねじ部を内周壁面に形成した取付口を下部に形成して成るキャップ本体部、及び前記キャップ本体部の天面において、この中心から外側にずれた位置に上向き突出形成されていると共に先端の注出口にヒンジキャップを取り付けて成るノズル部、前記キャップ本体部の取付口内の天面に開口し、かつ前記ノズル部内の流出通路に至るノズル入口部に形成されていて、前記ノズル入口部の角において内容物がスムーズに流入するように形成されたガイド円曲部を形成し、かつ前記天面部の一部に上向きの突起部及び前記上口の外周面の下縁にキャップ側係合突部を形成して成ることを特徴とするものである。
【手続補正４】
【補正対象書類名】明細書
【補正対象項目名】００１６
【補正方法】変更
【補正の内容】
【００１６】
更に、請求項４に記載の考案は、請求項１に記載の機能性ボトル用ボトルスタンドは、前記請求項３に記載の機能性ボトル用ノズルキャップに上方から着脱自在のキャップ装着口を下部に形成すると共にこのキャップ装着口内の上方にキャップ本体部のノズル部を収容するノズル部収容空間を形成し、かつ前記キャップ装着口内に前記機能性ノズルキャップ側の突起部が係合する係合溝及び前記キャップ側係合突部が係合する係合突部を下縁に形成し、更に前記キャップ装着口の上半部に脚部を形成して成ることを特徴とするものである。